(57)【要約】【課題】  商品の価格や商品名等の情報を表示するシート状部材の取付けや取り替えが便利であり、シート状部材が外れるおそれがなく、また、粘着部材を必要としない陳列商品用情報表示具を提供する。【解決手段】  陳列商品用情報表示具Ａは、表示具本体部１０と、カバー部５０とを有し、表示具本体部１０は、板状本体部２０と、上側係止部３０と、下側係止部４０とを有している。カバー部５０は、係止爪６０、６２等が板状本体部２０に係止することにより取り付けられており、カバー部５０は、板状本体部１０に対して横方向にスライド可能となっている。シート状部材は、このカバー部５０と板状本体部２０の間に保持される。【選択図】        図１
2006058445.tif 000002
【特許請求の範囲】
【請求項１】
陳列商品用情報表示具であって、
表示具本体部で、
板状に形成された板状部を有する板状本体部と、
該板状本体部の裏面側に形成された係止部で、棚板に係止するための係止部と、を有する表示具本体部と、
該板状本体部に着脱自在に設けられたカバー部と、
を有し、
該板状本体部と該カバー部とで商品の価格等の情報を表示したシート状部材を挟んだ状態で保持することができることを特徴とする陳列商品用情報表示具。
【請求項２】
上記係止部が、該板状本体部の裏面の上側に形成された上側係止部と、該板状本体部の裏面の下側に形成された下側係止部と、を有することを特徴とする請求項１に記載の陳列商品用情報表示具。
【請求項３】
陳列商品用情報表示具であって、
表示具本体部で、
板状に形成された板状部を有する板状本体部と、
該板状本体部の裏面の上側から突出して形成された上側係止部で、背面側に伸びるとともに、下方に鋭角に屈曲した形状を呈する上側係止部と、
該板状本体部の裏面の下側から背面側に突出して形成された下側係止部で、その上面に突出部を有する下側係止部と、を有する表示部本体部と、
該板状本体部に着脱自在に設けられたカバー部と、
を有し、
該板状本体部と該カバー部とで商品の価格等の情報を表示したシート状部材を挟んだ状態で保持することができることをを特徴とする陳列商品用情報表示具。
【請求項４】
上記カバー部が、表示具本体部における板状本体部に係止するための係止爪を複数有することを特徴とする請求項１又は２又は３に記載の陳列商品用情報表示具。
【請求項５】
陳列商品用情報表示具であって、
表示具本体部で、
板状に形成された板状部を有する板状本体部と、
該板状本体部の裏面の上側から突出して形成された上側係止部で、背面側に向けて形成された板状の水平部と、該水平部の背面側の端部から下側に鋭角に傾斜して連設された板状の傾斜部と、を有する上側係止部と、
該板状本体部の裏面の下側から背面側に突出して形成された下側係止部で、背面側に向けて形成された板状の水平部と、該水平部の上面に突状部とを有する下側係止部と、を有する表示部本体部と、
該板状本体部に着脱自在に設けられたカバー部で、表示具本体部における板状本体部に係止するための係止爪を複数有するカバー部と、
を有し、
該板状本体部と該カバー部とで商品の価格等の情報を表示したシート状部材を挟んだ状態で保持することができることを特徴とする陳列商品用情報表示具。
【請求項６】
上記係止爪が略方形状を呈するカバー部の相対する辺部に設けられ、カバー部が板状本体部に対してスライド可能に形成されていることを特徴とする請求項４又は５に記載の陳列商品用情報表示具。
【請求項７】
上記カバー部が、側方の端部に、カバー部の背面側に突出した突状部を有し、該突状部が、カバー部を所定位置よりもさらにスライドさせようとした場合に板状本体部に当接してストッパとして機能することを特徴とする請求項６に記載の陳列商品用情報表示具。
【請求項８】
上記表示具本体部に上記カバー部に設けられた係止爪が嵌合するための嵌合部が設けられていて、上記カバー部が、表示具本体部の正面側から表示具本体部に対し押圧することにより、係止爪が該嵌合部に嵌合して表示部本体部に取り付けられることを特徴とする請求項４又は５に記載の陳列商品用情報表示具。
【請求項９】
陳列商品用情報表示具であって、
表示具本体部で、
板状に形成された板状部を有する板状本体部と、
該板状本体部の裏面の上側から突出して形成された上側係止部で、背面側に斜め上方に向けて形成された板状の傾斜部と、該傾斜部の背面側の端部から上方に向けて連設された板状の立設部と、を有する上側係止部と、
該板状本体部の裏面の下側から突出して形成された下側係止部で、背面側に斜め下方に形成された板状の傾斜部を有する下側係止部と、を有する表示部本体部と、
該板状本体部に着脱自在に設けられたカバー部で、表示具本体部における板状本体部に係止するための係止爪を複数有するカバー部と、
を有し、
上記上側係止部と下側係止部とに、該カバー部に設けられた係止爪が嵌合するための嵌合部が設けられていて、上記カバー部が、表示具本体部の正面側から表示具本体部に対し押圧することにより、係止爪が該嵌合部に嵌合して表示部本体部に取り付けられ、
該板状本体部と該カバー部とで商品の価格等の情報を表示したシート状部材を挟んだ状態で保持することができることを特徴とする陳列商品用情報表示具。
【請求項１０】
上記表示具本体部の板状本体部には、切欠部が設けられていることを特徴とする請求項１又は２又は３又は４又は５又は６又は７又は８又は９に記載の陳列商品用情報表示具。
【請求項１１】
上記カバー部が、透明な素材又は透明性を有する素材により形成されていることを特徴とする請求項１又は２又は３又は４又は５又は６又は７又は８又は９又は１０に記載の陳列商品用情報表示具。
【発明の詳細な説明】
【技術分野】
【０００１】
本発明は、陳列商品用情報表示具に関するものである。
【背景技術】
【０００２】
従来より、商品を陳列するための棚板に、陳列商品用情報表示具を取り付けて、この陳列商品用情報表示具に商品の価格や商品名等の情報を表示することが行われている。すなわち、棚板の上面の正面側に沿って溝部が設けられていて、該陳列商品用情報表示具を商品の価格や商品名等の情報を表示した上で、該溝部に陳列商品用情報表示具を係止させることにより、顧客等に陳列された商品の情報が認識されるようにしている。
【０００３】
従来からの陳列商品用情報表示具においては、陳列商品用情報表示具の表面に商品の価格や商品名を表示したシート状部材を貼り付けて使用するのが一般的であった。
【０００４】
なお、出願人は、先行技術文献の調査は行っておらず、記載すべき先行技術文献は存在しない。
【発明の開示】
【発明が解決しようとする課題】
【０００５】
しかし、従来の陳列商品用情報表示具では、上記のように、商品の価格や商品名を表示したシート状部材を陳列商品用情報表示具に貼り付けて使用するので、該シート状部材を取り替える場合には、貼り付けてあったシート状部材を剥がさなければならず、作業が面倒であった。また、シート状部材を貼り付ける作業が面倒となる。つまり、従来の陳列商品用情報表示具では、シート状部材の取付けや取り替えが不便であった。
【０００６】
さらには、シート状部材が陳列商品用情報表示具に貼り付けた状態とすると、貼り付けたシート状部材の粘着力が劣化するとシート状部材が陳列商品用情報表示具から剥がれてしまい、商品の価格や商品名を表示できないという問題があった。
【０００７】
また、シート状部材を陳列商品用情報表示具に貼り付ける場合には、シート状部材の裏面に粘着層を設ける等、粘着部材が必要となる。
【０００８】
そこで、本発明が解決しようとする問題点は、商品の価格や商品名を表示するシート状部材の取付けや取り替えが便利であり、シート状部材が外れるおそれがなく、また、粘着部材を必要としない陳列商品用情報表示具を提供することである。
【課題を解決するための手段】
【０００９】
本発明は上記問題点を解決するために創作されたものであって、第１には、陳列商品用情報表示具であって、表示具本体部で、板状に形成された板状部を有する板状本体部と、該板状本体部の裏面側に形成された係止部で、棚板に係止するための係止部と、を有する表示具本体部と、該板状本体部に着脱自在に設けられたカバー部と、を有し、該板状本体部と該カバー部とで商品の価格等の情報を表示したシート状部材を挟んだ状態で保持することができることを特徴とする。
【００１０】
この第１の構成の陳列商品用情報表示具においては、表示具本体部に着脱自在なカバー部が設けられているので、表示部本体部の板状本体部とカバー部とでシート状部材を挟んだ状態にシート状部材を保持させる。そして、表示具本体部の係止部を棚板に係止させて陳列商品用情報表示具を棚板に係止させる。シート状部材を取り替える場合には、保持されているシート状部材を取り出すことができるように、カバー部を表示具本体部から取り外す等した上でシート状部材を取り出し、代わりのシート状部材を保持させる。
【００１１】
よって、粘着剤等によりシート状部材を貼り付けることがないので、シート状部材の取付けや取り替えが便利であり、また、板状本体部とカバー部とで挟んだ状態にしてシート状部材を保持させるので、シート状部材が外れるおそれがない。また、粘着部材を必要としないので、シート状部材にコストが掛からない。
【００１２】
また、第２には、上記第１の構成において、上記係止部が、該板状本体部の裏面の上側に形成された上側係止部と、該板状本体部の裏面の下側に形成された下側係止部と、を有することを特徴とする。よって、この上側係止部と下側係止部とによって、棚板に係止させることができる。
【００１３】
また、第３には、陳列商品用情報表示具であって、表示具本体部で、板状に形成された板状部を有する板状本体部と、該板状本体部の裏面の上側から突出して形成された上側係止部で、背面側に伸びるとともに、下方に鋭角に屈曲した形状を呈する上側係止部と、該板状本体部の裏面の下側から背面側に突出して形成された下側係止部で、その上面に突出部を有する下側係止部と、を有する表示部本体部と、該板状本体部に着脱自在に設けられたカバー部と、を有し、該板状本体部と該カバー部とで商品の価格等の情報を表示したシート状部材を挟んだ状態で保持することができることをを特徴とする。
【００１４】
この第３の構成の陳列商品用情報表示具においては、表示具本体部に着脱自在なカバー部が設けられているので、表示部本体部の板状本体部とカバー部とでシート状部材を挟んだ状態にシート状部材を保持させる。そして、表示具本体部の上側係止部と下側係止部とを棚板に係止させて陳列商品用情報表示具を棚板に係止させる。つまり、棚板の底面に下側係止部の上面と突出部とを当接させるとともに、上側係止部を棚板の正面手前側に設けられた溝部に係止させることにより、陳列商品用情報表示具を棚板に係止させる。シート状部材を取り替える場合には、保持されているシート状部材を取り出すことができるように、カバー部を表示具本体部から取り外す等した上でシート状部材を取り出し、代わりのシート状部材を保持させる。
【００１５】
よって、粘着剤等によりシート状部材を貼り付けることがないので、シート状部材の取付けや取り替えが便利であり、また、板状本体部とカバー部とで挟んだ状態にしてシート状部材を保持させるので、シート状部材が外れるおそれがない。また、粘着部材を必要としないので、シート状部材にコストが掛からない。
【００１６】
なお、上記第３の構成において、上側係止部の下方に屈曲した部分の正面側に突状部を設けることにより、棚板との固着性を高めるようにしてもよい。
【００１７】
また、第４には、上記第１から第３までのいずれかの構成において、上記カバー部が、表示具本体部における板状本体部に係止するための係止爪を複数有することを特徴とする。この係止爪により、カバー部を表示具本体部に取り付けることが可能となる。
【００１８】
また、第５には、陳列商品用情報表示具であって、表示具本体部で、板状に形成された板状部を有する板状本体部と、該板状本体部の裏面の上側から突出して形成された上側係止部で、背面側に向けて形成された板状の水平部と、該水平部の背面側の端部から下側に鋭角に傾斜して連設された板状の傾斜部と、を有する上側係止部と、該板状本体部の裏面の下側から背面側に突出して形成された下側係止部で、背面側に向けて形成された板状の水平部と、該水平部の上面に突状部とを有する下側係止部と、を有する表示部本体部と、該板状本体部に着脱自在に設けられたカバー部で、表示具本体部における板状本体部に係止するための係止爪を複数有するカバー部と、を有し、該板状本体部と該カバー部とで商品の価格等の情報を表示したシート状部材を挟んだ状態で保持することができることを特徴とする。
【００１９】
この第５の構成の陳列商品用情報表示具においては、表示具本体部に着脱自在なカバー部が設けられているので、表示部本体部の板状本体部とカバー部とでシート状部材を挟んだ状態にシート状部材を保持させる。つまり、係止爪を板状本体部に係止させた状態において、板状本体部とカバー部間にシート状部材を保持させる。そして、表示具本体部の上側係止部と下側係止部とを棚板に係止させて陳列商品用情報表示具を棚板に係止させる。つまり、棚板の底面に下側係止部の水平部の上面と突状部とを当接させるとともに、上側係止部を棚板の正面手前側に設けられた溝部に係止させることにより、陳列商品用情報表示具を棚板に係止させる。シート状部材を取り替える場合には、保持されているシート状部材を取り出すことができるように、カバー部を表示具本体部から取り外す等した上でシート状部材を取り出し、代わりのシート状部材を保持させる。
【００２０】
よって、粘着剤等によりシート状部材を貼り付けることがないので、シート状部材の取付けや取り替えが便利であり、また、板状本体部とカバー部とで挟んだ状態にしてシート状部材を保持させるので、シート状部材が外れるおそれがない。また、粘着部材を必要としないので、シート状部材にコストが掛からない。
【００２１】
なお、上記第５の構成において、上側係止部の傾斜部の正面側に突状部を設けることにより、棚板との固着性を高めるようにしてもよい。
【００２２】
また、上記第５の構成において、上側係止部を、板状本体部の裏面から突出した板状の水平部と、該水平部の背面側から斜め上方に伸びた板状の傾斜部と、該傾斜部の背面側から水平に伸びた板状の第２水平部と、該第２水平部の背面側の端部から下側に鋭角に傾斜して連設された板状の第２傾斜部とを有する構成としてもよい。また、この構成において、該傾斜部から下方に帯板状の突状部が設けられているものとしてもよい。
【００２３】
また、第６には、上記第４又は第５の構成において、上記係止爪が略方形状を呈するカバー部の相対する辺部に設けられ、カバー部が板状本体部に対してスライド可能に形成されていることを特徴とする。よって、シート状部材を取り替える場合でも、カバー部を若干スライドさせてシート状部材を取り出し、その後、代わりのシート状部材をカバー部と板状本体部の間に差し込むようにすればよいので、シート状部材の取り替えを非常に容易に行なうことが可能となる。
【００２４】
また、第７には、上記第６の構成において、上記カバー部が、側方の端部に、カバー部の背面側に突出した突状部を有し、該突状部が、カバー部を所定位置よりもさらにスライドさせようとした場合に板状本体部に当接してストッパとして機能することを特徴とする。よって、カバー部を板状本体部に対して閉じた状態にしようとした場合に、必要以上にカバー部がスライドしてしまうのを防止することが可能となる。
【００２５】
また、第８には、上記第４又は第５の構成において、上記表示具本体部に上記カバー部に設けられた係止爪が嵌合するための嵌合部が設けられていて、上記カバー部が、表示具本体部の正面側から表示具本体部に対し押圧することにより、係止爪が該嵌合部に嵌合して表示部本体部に取り付けられることを特徴とする。
【００２６】
また、第９には、陳列商品用情報表示具であって、表示具本体部で、板状に形成された板状部を有する板状本体部と、該板状本体部の裏面の上側から突出して形成された上側係止部で、背面側に斜め上方に向けて形成された板状の傾斜部と、該傾斜部の背面側の端部から上方に向けて連設された板状の立設部と、を有する上側係止部と、該板状本体部の裏面の下側から突出して形成された下側係止部で、背面側に斜め下方に形成された板状の傾斜部を有する下側係止部と、を有する表示部本体部と、該板状本体部に着脱自在に設けられたカバー部で、表示具本体部における板状本体部に係止するための係止爪を複数有するカバー部と、を有し、上記上側係止部と下側係止部とに、該カバー部に設けられた係止爪が嵌合するための嵌合部が設けられていて、上記カバー部が、表示具本体部の正面側から表示具本体部に対し押圧することにより、係止爪が該嵌合部に嵌合して表示部本体部に取り付けられ、該板状本体部と該カバー部とで商品の価格等の情報を表示したシート状部材を挟んだ状態で保持することができることを特徴とする。
【００２７】
この第９の構成の陳列商品用情報表示具においては、表示具本体部に着脱自在なカバー部が設けられているので、表示部本体部の板状本体部とカバー部とでシート状部材を挟んだ状態にシート状部材を保持させる。つまり、係止爪を板状本体部に係止させた状態において、板状本体部とカバー部間にシート状部材を保持させる。そして、表示具本体部の上側係止部と下側係止部とを棚板に係止させて陳列商品用情報表示具を棚板に係止させる。つまり、板状本体部にシート状部材を配置した状態で、表示具本体部の正面側からカバー部を表示具本体部に対し押圧することにより、係止爪が該嵌合部に嵌合してカバー部が表示部本体部に取り付けられる。そして、上側係止部と下側係止部を棚板に係止させることにより、陳列商品用情報表示具が棚板に取り付けられる。シート状部材を取り替える場合には、カバー部を表示具本体部から取り外してシート状部材を取り出し、代わりのシート状部材を配置して再度カバー部を取り付ける。
【００２８】
よって、粘着剤等によりシート状部材を貼り付けることがないので、シート状部材の取付けや取り替えが便利であり、また、板状本体部とカバー部とで挟んだ状態にしてシート状部材を保持させるので、シート状部材が外れるおそれがない。また、粘着部材を必要としないので、シート状部材にコストが掛からない。なお、この第９の構成において、下側係止部が、傾斜部の背面側の端部に、傾斜部の厚みよりも大きさ厚みを有する突状部を設けるようにしてもよい。
【００２９】
また、第１０には、上記第１から第９までのいずれかの構成において、上記表示具本体部の板状本体部には、切欠部が設けられていることを特徴とする。このように切欠部が設けられているので、シート状部材を取り出す場合に便利である。なお、この切欠部は、カバー部がスライドする場合には、板状本体部のスライド方向のいずれかの側に設けられていることが好ましく、特に、ストッパとしての突状部が設けられている場合には、該突状部が設けられている側とは反対側に切欠部が設けられているのが好ましい。
【００３０】
また、第１１には、上記第１から第１０までのいずれかの構成において、上記カバー部が、透明な素材又は透明性を有する素材により形成されていることを特徴とする。
【発明の効果】
【００３１】
本発明に基づく陳列商品用情報表示具によれば、粘着剤等によりシート状部材を貼り付けることがないので、シート状部材の取付けや取り替えが便利であり、また、板状本体部とカバー部とで挟んだ状態にしてシート状部材を保持させるので、シート状部材が外れるおそれがない。また、粘着部材を必要としないので、シート状部材にコストが掛からない。
【発明を実施するための最良の形態】
【００３２】
本発明においては、商品の価格や商品名を表示するシート状部材の取付けや取り替えが便利であり、シート状部材が外れるおそれがなく、また、粘着部材を必要としない陳列商品用情報表示具を提供するという目的を以下のようにして実現した。
【実施例１】
【００３３】
本発明の実施例１に基づく陳列商品用情報表示具Ａは、図１〜図１０に示すように構成され、表示具本体部１０と、カバー部５０とを有している。
【００３４】
ここで、表示具本体部１０は、板状本体部２０と、上側係止部３０と、下側係止部４０とを有している。なお、上側係止部３０と下側係止部４０とで上記係止部を構成する。
【００３５】
この板状本体部２０は、商品の価格や商品名等の情報を表示するシート状部材を設置するとともにカバー部５０を取り付けるものであり、板状部２２と、突状部２４、２６とを有している。
【００３６】
板状部２２は、方形状（具体的には、横長の長方形状）の板状を呈し、その正面側にシート状部材８０を配置できるスペースを有している。なお、この板状部２２の上面側の端面と下面側の端面は、板状部２２の正面側の面や裏面側の面に対して直角とはなっておらず、正面側の面に向けて傾斜している。この板状部２２の正面視における右側には、半円形状の切欠部２２ａが設けられている。また、突状部２４は、板状部２２の正面側の面の上端辺に沿って正面側に突出して形成されている。また、突状部２６は、板状部２２の正面側の面の下端辺に沿って正面側に突出して形成されている。この突状部２４と突状部２６は、板状部２２とカバー部５０との間にシート状部材を配置するための十分なスペースを得るために形成されている。なお、陳列商品用情報表示具Ａを水平面に載置した状態では、板状部２２の正面側の面は水平方向でなくやや上側を向くように、板状本体部２０が設けられている。
【００３７】
また、上側係止部３０は、板状本体部２０の裏面の上側から連設され、係止部本体３２と、突状部３４と、突状部３６とを有している。
【００３８】
ここで、係止部本体３２は、水平部３２ａと、傾斜部３２ｂと、水平部３２ｃと、傾斜部３２ｄとを有する構成である。すなわち、水平部３２ａは、板状部２２の上側の裏面側に水平に短く形成されている。この水平部３２ａは、水平方向、すなわち、Ｘ１−Ｘ２方向に板状部２２の右側の端部から左側の端部にまで細長に帯状に形成されている。また、傾斜部３２ｂは、水平部３２ａの背面側からやや上方に向けて傾斜して形成されている。この傾斜部３２ｂもＸ１−Ｘ２方向に板状部２２と同じ幅に細長に帯状に形成されている。また、水平部３２ｃは、傾斜部３２ｂの背面側から水平方向（つまり、Ｙ１−Ｙ２方向）に板状に形成されている。この水平部３２ｃもＸ１−Ｘ２方向に板状部２２と同じ幅に細長に帯状に形成されている。なお、この水平部３２ｃのＹ１−Ｙ２方向の長さとしては、図１０に示すように、棚板９０の板状部９２における立設部９２ａがこの上側係止部３０で囲まれた空間内に十分入り込めるだけ十分な長さに形成されている。また、傾斜部３２ｄは、水平部３２ｃの背面側から下方に正面側にやや傾斜して板状に形成されている。この傾斜部３２ｄもＸ１−Ｘ２方向に板状部２２と同じ幅に細長に帯状に形成されている。つまり、傾斜部３２ｄと水平部３２ｃは、側面視において鋭角に屈曲して形成されている。なお、この係止部本体３２は、方形状の板状部材を上記の形状となるように屈曲させた形状を呈しているといえる。
【００３９】
また、突状部３４は、上記傾斜部３２ｂの底面から下方、すなわち、Ｚ１方向に突出して形成されている。この突状部３４もＸ１−Ｘ２方向に板状部２２と同じ幅に細長に帯状に形成されている。
【００４０】
また、突状部３６は、傾斜部３２ｄの正面側（つまり、Ｙ１側の面）から突出しており、その断面形状は、図２等に示すように、略三角形状を呈している。この突状部３６もＸ１−Ｘ２方向に板状部２２と同じ幅に細長に帯状に形成されている。
【００４１】
また、下側係止部４０は、板状本体部２０の裏面の下側から連設され、係止部本体４２と、突状部４４とを有している。
【００４２】
この係止部本体４２は、湾曲部４２ａと、水平部４２ｂとを有している。すなわち、湾曲部４２ａは、板状部２２の下側の裏面側に設けられ、板状部２２と同じ方向（つまり、Ｚ１方向からやや正面側に傾斜した方向）から水平方向（つまり、Ｙ２方向）に湾曲した形状を呈していて、Ｘ１−Ｘ２方向に板状部２２の右側の端部から左側の端部にまで細長に帯状に形成されている。これにより、板状本体部２０の下端と湾曲部４２ａとの間には、切欠部Ｋが形成された状態となっている。また、水平部４２ｂは、湾曲部４２ａの背面側から水平方向（つまり、Ｙ１−Ｙ２方向）に板状に形成されている。この水平部４２ｂもＸ１−Ｘ２方向に板状部２２と同じ幅に細長に帯状に形成されている。なお、この水平部４２ｂの背面側（Ｙ２側）の端部は、上側係止部３０の背面側の端部よりも背面側に突出している。つまり、係止部本体４２のＹ１−Ｙ２方向の長さは、係止部本体４２の背面側の端部が上側係止部３０の背面側の端部よりも背面側に突出するだけの長さとなっている。また、突状部４４は、水平部４２ｂの上面に突出して設けられている。この突状部４４はＸ１−Ｘ２方向に板状部２２と同じ幅に細長に形成されており、突状部４４の背面側の面は、水平部４２ｂの上面の水平面から徐々に上方に湾曲してその上端では直角方向に向く湾曲面となっている。また、突状部４４の上面及び正面側の面は、水平方向から正面側に徐々に直角方向に湾曲する湾曲面となっている。
【００４３】
なお、上側係止部３０の傾斜部３２ｄの下端の正面側と、下側係止部４０の突状部４４の上端の背面側の端部間の距離αは、棚板９０の板状部９２における立設部９２ａの厚みよりも長く形成されている。
【００４４】
なお、上記表示具本体部１０は、合成樹脂により形成され、全体に一体に形成されている。
【００４５】
次に、カバー部５０について説明する。カバー部５０は、板状本体部２０の表側の面をカバーする部材であり、板状本体部２０に着脱自在に取り付けられる。このカバー部５０は、板状部５２と、係止爪６０、６２、６４、６６（以下「係止爪６０〜６６」と表記する場合もある）と、突状部７０と、突状部７２とを有している。このカバー部５０は透明な部材により構成されている。
【００４６】
ここで、板状部５２は、方形状（具体的には長方形状）の板状を呈する部材であり、横方向（Ｘ１−Ｘ２方向）には、板状本体部２０と略同一の幅を有し、縦方向には、板状本体部２０よりも若干大きく形成されている。また、この板状部５２には、上側の左右両側と下側の左右両側に計４つの開口部が形成されている。つまり、正面視における左上側に開口部５２ａが形成され、右上側に開口部５２ｂが形成され、左下側に開口部５２ｃが形成され、右下側に開口部５２ｄが形成されている。これら開口部５２ａ〜５２ｄは、板状部５２の表側から裏側にまで貫通しており、正面視において横長の長方形状を呈している。
【００４７】
また、係止爪６０〜６６は、カバー部５０を表示具本体部１０に取り付けるための部材であり、係止爪６０〜６６は板状部５２の裏面に設けられている。つまり、係止爪６０は板状部５２の裏面における正面視において左上側に設けられ、係止爪６２は板状部５２の裏面における正面視において右上側に設けられ、係止爪６４は板状部５２の裏面における正面視において左下側に設けられ、係止爪６６は板状部５２の裏面における正面視において右下側に設けられている。
【００４８】
ここで、係止爪６０〜６６における各係止爪の構成は同様の構成であるので、係止爪６０を例に取って説明すると、係止爪６０は、横方向部材６０ａと縦方向部材６０ｂとを有している。この横方向部材６０ａは、板状部５２の裏面から板状部５２に対して直角の方向に設けられ、図６、図７に示すように、台形形状の板状を呈している。また、縦方向部材６０ｂは、横方向部材６０ａの端部から下側に向けて設けられている。つまり、この縦方向部材６０ｂは、板状部５２と平行に設けられた板状を呈し、図７に示すように、その先端が斜めに形成されている。なお、板状部５２の裏面側と縦方向部材６０ｂの表面側間の距離βは、板状本体部２０における突状部２４の部分の厚みと同様に形成されている。
【００４９】
また、係止爪６２は、横方向部材６２ａと縦方向部材６２ｂとを有しているが、各部の構成は上記係止爪６０と同様の構成であるので、詳しい説明を省略する。また、係止爪６４も横方向部材６４ａと縦方向部材６４ｂとを有しているが、縦方向部材６４ｂが横方向部材６４ａの端部から直角に上側に向けて形成されている点を除いて上記係止爪６０と同様の構成であるので、詳しい説明を省略する。つまり、係止爪６４は、係止爪６０に対して対称形状となっていて、係止爪６４と係止爪６０とは対向して設けられている。また、係止爪６６は、横方向部材６６ａと縦方向部材６６ｂとを有しているが、各部の構成は係止爪６４と同様の構成であるので、詳しい説明を省略する。
【００５０】
次に、突状部７０は、板状部５２の正面視における左下側の角部に設けられた板状の部材であり、板状部５２から左側に突出するとともに背面側にも突出するように形成されている。なお、この突状部７０の底面は板状部５２の底面と面一となっている。この突状部７０が設けられていることにより、カバー部５０を表示具本体部１０の正面視における左側からスライドさせて係止爪６０〜６６を板状本体部２０に係止させてカバー部５０を表示具本体１０に取り付けた場合に、この突状部７０が板状本体部２０に接触してストッパーとしての機能を果たすこととなる。
【００５１】
また、突状部７２は、板状部５２の正面視における右下側の角部に設けられた板状の部材であり、突状部７２の底面は板状部５２の底面と面一となっている。この突状部７２は、板状部５２の横方向に突出しているが、背面方向には突出していない。
【００５２】
なお、上記カバー部５０は、透明な合成樹脂により形成され、全体に一体に形成されている。
【００５３】
上記構成の陳列商品用情報表示具Ａの使用状態について説明する。この陳列商品用情報表示具Ａの使用に当たっては、商品の価格等の情報を表示したシート状部材８０を取り付けるとともに、カバー部５０を表示具本体部１０に取り付ける。
【００５４】
すなわち、シート状部材８０は、商品の価格や商品名等の情報を表示するシート状部材であり、例えば、紙材により形成されている。このシート状部材８０を表示具本体部１０の板状本体部２０の板状部２２の表面側に配置し、その後、カバー部５０を表示具本体部１０の正面視における左側からスライドさせながら、係止爪６０〜６６を係止させてカバー部５０を表示具本体部１０に取り付ける。つまり、まず、係止爪６２と係止爪６６を係止させ、その後、さらにカバー部５０をスライドさせて係止爪６０と係止爪６４を係止させる。そして、突状部７０が板状本体部２０に当接するまでスライドさせてカバー部５０が閉じた状態とすることにより、カバー部５０の表示具本体部１０への取付けが完了する。このように、ストッパとしての突状部７０が設けられているので、カバー部５０を閉じた状態にするに当たり、カバー部５０が必要以上に右側にスライドしてしまうことがない。
【００５５】
なお、上記の説明では、シート状部材８０を表示具本体部１０に設置した状態でカバー部５０を取り付けるものとして説明したが、これとは異なり、カバー部５０を表示具本体部１０に取り付けた後に、シート状部材８０を取り付けるようにしてもよい。つまり、カバー部５０をスライドさせて表示具本体部１０に取り付けた後に、カバー部５０を正面視において若干表示具本体部１０から左側にスライドさせて、板状部５２の右側をカバー部５０から露出した状態とする。そして、板状部２２と板状部５２の間の位置にシート状部材８０を差し込むようにして板状部５２の表面側にシート状部材８０を配置させる。その後、カバー部５０を右側にスライドさせてカバー部５０が板状本体部２０をカバーした状態とする。以上のようにしてシート状部材８０を取り付けるようにしてもよい。
【００５６】
そして、陳列商品用情報表示具Ａを棚板に取り付ける場合には、図１０に示すように取り付ける。この陳列商品用情報表示具Ａを取り付ける棚板９０は、図１０に示すように、板状部９２と、板状部９４とを有していて、板状部９２は、断面Ｌ字状を呈していて、板状部材の正面側の所定幅を折曲して立設させた形状を呈し、立設部９２ａと、水平部９２ｂとを有している。また、板状部９４は、所定の厚みを有する板状部材であり、板状部９２における水平部９２ｂの上面に固定して設けられている。この板状部９４の厚みとしては、板状部９４の上面の高さが立設部９２ａの上端よりも若干低いか、あるいは、同じ高さとなるような厚みとなっている。
【００５７】
上記のような構成の棚板９０に陳列商品用情報表示具Ａを取り付けるには、立設部９２ａの上端に上側係止部３０を係止させ、水平部９２ｂと立設部９２ａ間の角部に下側係止部４０を係止させて、陳列商品用情報表示具Ａを棚板９０に係止させる。例えば、まず、上側係止部３０を立設部９２ａに係止させ、その後、下側係止部４０の係止部本体４２を水平部９２ｂの底面側に押し込んで、突状部４４の背面側が立設部９２ａに当接する位置にまで押し込むことにより、陳列商品用情報表示具Ａが棚板９０に取り付けられる。陳列商品用情報表示具Ａの棚板９０への取付け状態では、傾斜部３２ｄの下端の正面側が立設部９２ａの背面側に当接し、突状部３６が立設部９２ａの背面側に当接し、傾斜部３２ｄの背面側が板状部９４の上端の角部に当接し、さらに、水平部３２ｃの下面が立設部９２ａの上端に当接した状態となり、また、係止部本体４２の上面が水平部９２ｂの底面に当接し、突状部４４の背面側が板状部９２の正面下側の角部に当接することにより、陳列商品用情報表示具Ａが確実に棚板９０に固定されることになる。
【００５８】
以上のように陳列商品用情報表示具Ａが棚板９０に取り付けられた状態では、シート状部材８０が表示具本体部１０とカバー部５０とによって挟まれた状態で表示されるので、顧客は、透明なカバー部５０を介してシート状部材８０に表示された情報を視認することができる。特に、シート状部材８０は斜め情報を向いて表示されるので、顧客にとってはシート状部材８０を見やすくなっている。
【００５９】
このように陳列商品用情報表示具Ａが棚板９０に取り付けられた状態でシート状部材８０を取り替える場合には、カバー部５０を表示具本体部１０に対して正面視において左側にずらしてシート状部材８０の右側の一部を露出させる。そして、シート状部材８０を取り出す。この場合、表示具本体部１０の板状部２２には切欠部２２ａが設けられているので、シート状部材８０の取出しには便利である。
【００６０】
そして、代わりのシート状部材８０を板状部２２と板状部５２の間に差し込み、板状部２２の表面側に配置させ、その後、カバー部５０を右側にスライドさせてもとに戻す。
【００６１】
以上のように、本実施例の陳列商品用情報表示具Ａによれば、シート状部材の取付けや取り替えが便利であり、また、シート状部材はカバー部５０でカバーされた状態となっているので、シート状部材が外れるおそれがない。また、表示具本体部１０とカバー部５０とによって挟んだ状態でシート状部材８０を保持するので、粘着部材を必要としない。
【００６２】
なお、上記の陳列商品用情報表示具Ａにおいては、表示具本体部１０の上側係止部３０において、突状部３４が下方に向けて設けられていて、水平部３２ｃと傾斜部３２ｄとともに断面略逆Ｕ字状を呈した状態となっているので、この上側係止部３０を横方向に伸びた棒状部材に掛止させることもできる。
【００６３】
なお、上記の説明において、カバー部５０に設けられる係止爪は計４つであるとして説明したが、これには限られず、例えば、板状部の上辺に１つ設けられ、下辺に２つ設ける構成でもよい。また、表示具本体部１０の板状本体部２０において正面視で右側に切欠部２２ａが設けられているとしたが、左側でもよい。この場合には、突状部７２は、突状部７０のようにストッパの機能を果たすように構成し、突状部７０は突状部７２のようにストッパの機能を持たないようにする。
【００６４】
また、上側係止部３０において、係止部本体３２は、水平部３２ａと、傾斜部３２ｂと、水平部３２ｃと、傾斜部３２ｄとを有する構成であるとしたが、水平部３２ａと、傾斜部３２ｂと、水平部３２ｃとを１つの板状部材で水平方向に設けられた部材により構成してもよい。
【００６５】
また、上記実施例１の構成において、カバー部５０を表示具本体部１０に横方向からスライドさせて取り付ける構成とは異なり、表示具本体部１０の正面側から係止爪６０〜６６を嵌合させるようにして取り付ける構成としてもよい。
【実施例２】
【００６６】
次に、実施例２について説明する。本発明の実施例２に基づく陳列商品用情報表示具Ｂは、図１１〜図１５に示すように構成され、表示具本体部１１０と、カバー部１５０とを有している。
【００６７】
ここで、表示具本体部１１０は、板状本体部１２０と、上側係止部１３０と、下側係止部１４０とを有している。
【００６８】
この板状本体部１２０は、商品の価格や商品名等の情報を表示するシート状部材を設置するとともにカバー部１５０を取り付けるものであり、板状部１２２と、突状部１２４、１２６とを有している。
【００６９】
板状部１２２は、方形状（具体的には、横長の長方形状）の板状を呈し、その正面側にシート状部材８０を配置できるスペースを有している。なお、この板状部１２２の上面側の端面と下面側の端面は、板状部１２２の正面側の面や裏面側の面に対して直角とはなっておらず、正面側の面に向けて傾斜している。この板状部１２２の正面視における右側には、半円形状の切欠部１２２ａが設けられている。また、突状部１２４は、板状部１２２の正面側の面の上端辺に沿って正面側に突出して形成されている。また、突状部１２６は、板状部１２２の正面側の面の下端辺に沿って正面側に突出して形成されている。この突状部１２４と突状部１２６は、板状部１２２とカバー部１５０との間にシート状部材を配置するための十分なスペースを得るために形成されている。
【００７０】
また、上側係止部１３０は、板状本体部１２０の裏面の上側から連設され、係止部本体１３２と、突状部１３８ａと、突状部１３８ｂとを有している。
【００７１】
ここで、係止部本体１３２は、傾斜部１３４と、立設部１３６とを有している。この傾斜部１３４は、板状部１２２の上側の裏面側から背面側に突出して形成されており、帯状の板状を呈している。この傾斜部１３４は、板状部１２２に対して直角ではなく、やや上側に傾斜した方向に向けて形成されている。また、立設部１３６は、傾斜部１３４の背面側の端部から上方に向けて連設され、帯状の板状を呈し、板状部１２２と略平行に形成されている。なお、傾斜部１３４と立設部１３６の境界位置には、開口部（嵌合部）１３７ａと開口部（嵌合部）１３７ｂが形成されている。つまり、開口部１３７ａと開口部１３７ｂとは正面視における左右両側に設けられ、開口部１３７ａは左側に設けられ、開口部１３７ｂは右側に設けられている。この開口部１３７ａ、１３７ｂは、図１２に示すように、その背面視においては横長の長方形状を呈し、また、図１３に示すように、水平方向、すなわち、板状部１２２の形成方向とは直角の方向に形成されている。また、突状部１３８ａと突状部１３８ｂとは、立設部１３６の両端の両側に形成されている。突状部１３８ａは、立設部１３６の上端の正面視における左端に設けられ、立設部１３６の形成方向と同じ方向に向けて形成されている。また、突状部１３８ｂも、立設部１３６の上端の正面視における右端に設けられ、立設部１３６の形成方向と同じ方向に向けて形成されている。突状部１３８ａ、１３８ｂはともに半円形状の板状を呈している。
【００７２】
また、下側係止部１４０は、板状本体部１２０の裏面の下側から連設され、傾斜部１４２と、突状部１４４とを有している。
【００７３】
この傾斜部１４２は、板状部１２２の下側の裏面側から背面側に突出して形成されており、帯状の板状を呈している。この傾斜部１４２は、板状部１２２に対して直角ではなく、やや下側に傾斜した方向に向けて形成されている。また、傾斜部１４２の上下方向における途中位置には、開口部１４５ａと開口部１４５ｂが形成されている。つまり、開口部１４５ａと開口部１４５ｂとは正面視における左右両側に設けられ、開口部１４５ａは左側に設けられ、開口部１４５ｂは右側に設けられている。この開口部１４５ａ、１４５ｂは、図１２に示すように、その背面視においては横長の長方形状を呈し、また、図１３に示すように、水平方向、すなわち、板状部１２２の形成方向とは直角の方向に形成されている。
【００７４】
また、突状部１４４は、傾斜部１４２の背面側の端部から連設され、その断面形状としては、図１３に示すように、傾斜部１４２の厚みよりも大きな厚みを有していて、下面側には湾曲面部１４４ａを有し、上面側には、略平面の上面部１４４ｂと、背面側には、略平面の背面部１４４ｃとを有している。つまり、突状部１４４は、傾斜部１４２よりも肥大した形状となっている。この突状部１４４は、棚板１９０に嵌合する部分となる。
【００７５】
なお、上記表示具本体部１１０は、合成樹脂により形成され、全体に一体に形成されている。
【００７６】
次に、カバー部１５０について説明する。カバー部１５０は、板状本体部１２０の表側の面をカバーする部材であり、板状本体部１２０に着脱自在に取り付けられる。このカバー部１５０の構成は、上記カバー部５０の構成とほぼ同様である。すなわち、カバー部１５０は、板状部１５２と、４つの係止爪（そのうちの３つが、係止爪１６０、１６２、１６６となる）と、突状部１７０と、突状部１７２とを有している。このカバー部１５０は透明な部材により構成されている。
【００７７】
ここで、板状部１５２の構成は上記板状部５２の構成と同様であるので、詳しい説明を省略するが、板状部１５２は、方形状（具体的には長方形状）の板状を呈する部材であり、この板状部１５２には、上側の左右両側と下側の左右両側に計４つの開口部、つまり、開口部１５２ａ、１５２ｂ、１５２ｃ、１５２ｄが形成されている。
【００７８】
また、係止爪１６０等の４つの係止爪は、カバー部１５０を表示具本体部１１０に取り付けるための部材であり、各係止爪は板状部１５２の裏面に設けられている。つまり、係止爪１６０は板状部１５２の裏面における正面視において左上側に設けられ、係止爪１６２は板状部１５２の裏面における正面視において右上側に設けられ、係止爪１６６は板状部１５２の裏面における正面視において右下側に設けられ、他の係止爪は板状部１５２の裏面における正面視において左下側に設けられている。
【００７９】
ここで、４つの係止爪における各係止爪の構成は同様の構成であるので、係止爪１６２を例に取って説明すると、係止爪１６２は、横方向部材１６２ａと縦方向部材１６２ｂとを有している。この横方向部材１６２ａは、板状部１５２の裏面から板状部１５２に対して直角の方向に設けられ、図１１に示すように、台形形状の板状を呈している。また、縦方向部材１６２ｂは、横方向部材１６２ａの端部から下側に向けて設けられている。つまり、この縦方向部材１６２ｂは、板状部１５２と平行に設けられた板状を呈し、表示具本体部１１０に取り付けた際に開口部１３７ｂに嵌合するように所定の厚みに形成されている。
【００８０】
また、係止爪１６０は、上記係止爪１６２と同様の構成であるので、詳しい説明を省略する。また、係止爪１６６は、横方向部材１６６ａと縦方向部材１６６ｂとを有しているが、縦方向部材１６６ｂが横方向部材１６６ａの端部から直角に上側に向けて形成されている点を除いて上記係止爪１６２と同様の構成であるので、詳しい説明を省略する。つまり、係止爪１６６は、係止爪１６２に対して対称形状となっていて、係止爪１６６と係止爪１６２とは対向して設けられている。また、カバー部の下側に設けられた他の係止爪（つまり、正面視においては、板状部１５２の下端の左側に設けられた係止爪）は、係止爪１６６と同様の構成であるので、詳しい説明を省略する。
【００８１】
次に、突状部１７０は、板状部１５２の正面視における左下側の角部に設けられた板状の部材であり、板状部１５２から左側に突出するように形成されている。なお、この突状部１７０の底面は板状部１５２の底面と面一となっている。
【００８２】
また、突状部１７２は、板状部１５２の正面視における右下側の角部に設けられた板状の部材であり、突状部１７２の底面は板状部１５２の底面と面一となっている。この突状部１７２は、板状部１５２の横方向に突出しているが、背面方向には突出していない。
【００８３】
なお、このカバー部１５０は、上記カバー部５０とは異なり、表示具本体部１１０の正面側から嵌め込んで取り付けるものである。
【００８４】
なお、上記カバー部１５０は、透明な合成樹脂により形成され、全体に一体に形成されている。
【００８５】
上記構成の陳列商品用情報表示具Ｂの使用状態について説明する。この陳列商品用情報表示具Ｂの使用に当たっては、商品の価格等の情報を表示したシート状部材８０を取り付けるとともに、カバー部１５０を表示具本体部１１０に取り付ける。
【００８６】
すなわち、シート状部材８０は、商品の価格や商品名等の情報を表示するシート状部材であり、例えば、紙材により形成されている。このシート状部材８０を表示具本体部１１０の板状本体部１２０の板状部１２２の表面側に配置し、その後、カバー部１５０を表示具本体部１１０の正面側から押しつける。すると、カバー部１５０の各係止爪が表示具本体部１１０に設けられた開口部に嵌合してカバー部１５０が表示具本体部１１０に取り付けられる。なお、シート状部材８０は、表示具本体部１１０とカバー部１５０により挟んだ状態で保持される。
【００８７】
そして、陳列商品用情報表示具Ｂを棚板に取り付ける場合には、図１５に示すように取り付ける。この陳列商品用情報表示具Ｂを取り付ける棚板１９０は、図１５に示すように、板状部１９２と、三角柱状部１９４と、取付け部材１９６とを有している。この板状部１９２は、所定の厚みの板状を呈した部材であり、また、三角柱状部材１９４は、図１５に示すように、断面三角柱状を呈する部材であり、板状部１９２の正面側の端部に固定されている。また、取付け部材１９６は、その上端と下端とが湾曲した板状の部材であり、板状の板状部１９６ａと、該板状部１９６ａの上端に設けられた湾曲部１９６ｂと、該板状部１９６ａの下端に設けられた湾曲部１９６ｃとを有している。板状部１９６ａと、湾曲部１９６ｂと、湾曲部１９６ｃとは一体に形成されている。湾曲部１９６ｂは、板状部１９６ａの上端から正面側に向かって緩やかに折り返すように湾曲しており、表示具本体部１１０の上側係止部１３０の上端が嵌合できるような形状に形成されている。また、湾曲部１９６ｃは、板状部１９６ａの下端から正面側に向かって緩やかに折り返すように湾曲しており、表示具本体部１１０の下側係止部１４０の突状部１４４が嵌合できるような形状に形成されている。なお、この取付け部材１９６は、合成樹脂等若干の弾性を有する部材により形成されている。
【００８８】
上記のような構成の棚板１９０に陳列商品用情報表示具Ｂを取り付けるには、上側係止部１３０を湾曲部１９６ｂに嵌合させるとともに、下側係止部１４０を湾曲部１９６ｃに嵌合させることにより、陳列商品用情報表示具Ｂを棚板１９０に取り付ける。つまり、上側係止部１３０を湾曲部１９６ｂに嵌合させた後に、下側係止部１４０を湾曲部１９６ｃ側に押しつけることにより、表示具本体部１１０と取付け部材１９６の弾性によって、突状部１４４が湾曲部１９６ｃに嵌合される。以上のようにして、陳列商品用情報表示具Ｂが棚板１９０に取り付けられる。
【００８９】
以上のように陳列商品用情報表示具Ｂが棚板１９０に取り付けられた状態では、シート状部材８０が表示具本体部１１０とカバー部１５０とによって挟まれた状態で表示されるので、顧客は、透明なカバー部１５０を介してシート状部材８０に表示された情報を視認することができる。特に、シート状部材８０は斜め上方を向いて表示されるので、顧客にとってはシート状部材８０を見やすくなっている。
【００９０】
このように陳列商品用情報表示具Ｂが棚板１９０に取り付けられた状態でシート状部材８０を取り替える場合には、カバー部１５０を表示具本体部１１０から取り外して、シート状部材８０を取り出す。この場合、表示具本体部１１０の板状部１２２には切欠部１２２ａが設けられているので、シート状部材８０の取出しには便利である。そして、代わりのシート状部材８０を表示具本体部１１０の板状部１２２に配置させて、カバー部１５０を表示具本体部１１０に取り付ける。
【００９１】
以上のように、本実施例の陳列商品用情報表示具Ｂによれば、シート状部材の取付けや取り替えが便利であり、また、シート状部材はカバー部１５０でカバーされた状態となっているので、シート状部材が外れるおそれがない。また、表示具本体部１１０とカバー部１５０とによって挟んだ状態でシート状部材８０を保持するので、粘着部材を必要としない。
【００９２】
なお、上記の説明において、カバー部１５０に設けられる係止爪は計４つであるとして説明したが、これには限られず、例えば、板状部の上辺に１つ設けられ、下辺に２つ設ける構成でもよい。この場合には、表示具本体部１１０に設けられる開口部も係止爪に対応した位置に設ける必要がある。また、表示具本体部１０の板状本体部２０において正面視で右側に切欠部２２ａが設けられているとしたが、左側でもよい。
【００９３】
なお、上記実施例１の説明においては、表示具本体部１０において、板状本体部２０の裏面に上側係止部３０と下側係止部４０とを設けるものとして説明し、また、上記実施例２においても、表示具本体部１１０において、板状本体部１２０の裏面に上側係止部１３０と下側係止部１４０とを設けるものとして説明したが、板状本体部の裏面に設けられる係止部は、棚板に係止できる形状であれば任意であり、上側係止部と下側係止部とを有する構成でなくてもよい。
【００９４】
また、カバー部５０やカバー部１５０は透明であるとして説明したが、カバー部を通してシート状部材を視認できるものであれば透明でなくても透明性を有すればよい。
【図面の簡単な説明】
【００９５】
【図１】本発明の実施例１に基づく陳列商品用情報表示具の構成を示す斜視図である。
【図２】表示具本体部の構成を示す側面図である。
【図３】表示具本体部の構成を示す正面図である。
【図４】表示具本体部の構成を示す背面図である。
【図５】カバー部の構成を示す正面図である。
【図６】カバー部の構成を示す平面図である。
【図７】カバー部の構成を示す側面図である。
【図８】カバー部の構成を示すＸ−Ｘ断面図である。
【図９】陳列商品用情報表示具の構成と使用状態を示す分解斜視図である。
【図１０】陳列商品用情報表示具を棚板に取り付けた状態を示す断面図である。
【図１１】本発明の実施例２に基づく陳列商品用情報表示具の構成を示す斜視図である。
【図１２】表示具本体部の構成を示す背面図である。
【図１３】表示具本体部の構成を示すＹ−Ｙ断面図である。
【図１４】陳列商品用情報表示具の構成と使用状態を示す分解斜視図である。
【図１５】陳列商品用情報表示具を棚板に取り付けた状態を示す断面図である。
【符号の説明】
【００９６】
Ａ、Ｂ  陳列商品用情報表示具
１０、１１０  表示具本体部
２０、１２０  板状本体部
２２、５２、１２２、１５２  板状部
２４、２６、３４、３６、４４、７０、７２、１２４、１２６、１３８ａ、１３８ｂ、１４４、１７０、１７２  突状部
３０、１３０  上側係止部
３２、４２、１３２  係止部本体
３２ａ、３２ｃ、４２ｂ  水平部
３２ｂ、３２ｄ、１３４、１４２  傾斜部
５０、１５０  カバー部
５２、１５２  板状部
６０、６２、６４、６６、１６０、１６２、１６６  係止爪
【図１】
2006058445.tif 000003
【図２】
2006058445.tif 000004
【図３】
2006058445.tif 000005
【図４】
2006058445.tif 000006
【図５】
2006058445.tif 000007
【図６】
2006058445.tif 000008
【図７】
2006058445.tif 000009
【図８】
2006058445.tif 000010
【図９】
2006058445.tif 000011
【図１０】
2006058445.tif 000012
【図１１】
2006058445.tif 000013
【図１２】
2006058445.tif 000014
【図１３】
2006058445.tif 000015
【図１４】
2006058445.tif 000016
【図１５】
2006058445.tif 000017